(57)【要約】電気制御装置は、ガイド部に沿ってコードを移動させるために端部により引っ張られることが可能であるコード４１を収容し、案内するための編まれたガイド部１２を有する編まれたファブリック１１を有する。編まれた導電トラック１５はガイド部の導電部文と通信する。コードは、導電部１６と選択的に通信することができる電気導電部４１を有する。図に示すように、導電性コード部４１は導電部１６ａ及び１６ｂと電気的接触状態にあり、それ故、ファブリックトラッキング１５ａ及び１５ｂの間で電気的連続性を提供する役割を果たす。ガイドに沿ってコードをスライドさせることにより、導電部４１ａは、導電部１６ｂ及び１６ｃと同時に通信するために移動されることが可能であり、それ故、ファブリックトラッキング１５ｂ及び１５ｃと電気的通信を確立する。従って、２つの方式の電気スイッチを提供する。
2005531900.tif 000002
【特許請求の範囲】
【請求項１】
ガイド部；及び
前記ガイド部においてスライド可能であり、前記ガイド部を通して伸びるコード；
を有するスライド制御装置であって：
前記ガイド部は関連する第１電気構成要素を有し、前記コードは第２電気構成要素を有し、前記コードは、前記第１電気構成要素に関して前記第２電気構成要素を移動させるために前記ガイド部に沿ってスライド可能であり、それ故、電気制御挙動をもたらす；
ことを特徴とするスライド制御装置。  
【請求項２】
請求項１に記載のスライド制御装置であって、前記第１電気構成要素は第１スイッチ接点を形成するための電気導電素子であり、前記第２電気構成要素は第２スイッチ接点を形成するための電気導電素子であり、前記電気制御挙動は前記第１スイッチ接点と電気的接触をするように前記第２スイッチ接点を移動させるために第１方向に前記コードをスライドさせることによりもたらされる、ことを特徴とするスライド制御装置。
【請求項３】
請求項２に記載のスライド制御装置であって、前記電気接触は、互いに物理的及び電気的接続を形成する前記第１スイッチ接点及び前記第２スイッチ接点により確立される、ことを特徴とするスライド制御装置。
【請求項４】
請求項２又は３に記載のスライド制御装置であって、前記ガイド部は電気導電素子の形態で他の第１電気構成要素を有し、前記他の第１電気構成要素は、前記第２スイッチ接点が各々の第１電気構成要素との電気接触を確立するために移動可能であるように、前記ガイド部において配置されている、ことを特徴とするスライド制御装置。
【請求項５】
請求項１に記載のスライド制御装置であって、前記関連する第１電気構成要素は誘導コイルである、ことを特徴とするスライド制御装置。
【請求項６】
請求項１乃至５のいずれ一項に記載のスライド制御装置であって、少なくとも１つの前記第１電気構成要素は前記ガイド部の一部を構成している、ことを特徴とするスライド制御装置。
【請求項７】
請求項６に記載のスライド制御装置であって、前記ガイド部は、編まれた、織られた又は刺繍された構成から成る、ことを特徴とするスライド制御装置。
【請求項８】
請求項１乃至７のいずれ一項に記載のスライド制御装置であって、前記ガイド部はファブリック構成要素の統合部分である、ことを特徴とするスライド制御装置。
【請求項９】
請求項１乃至８のいずれ１項又はそれ以上の項に記載の技術的特徴を有するスライド制御装置を有することを特徴とする織物物品。
【請求項１０】
請求項１乃至８のいずれ１項に記載のコードの技術的特徴を有することを特徴とするコード。
【発明の詳細な説明】
【技術分野】
【０００１】
本発明は、すべり制御装置であって、特に、衣服及び室内装飾品のような曲がり易い物品における使用に対して適切である制御装置に関するが、それらに限定されるものではない。
【背景技術】
【０００２】
衣服又は他の柔らかいアイテムにおいて電気及び電子装置を統合又は適応させるタスクは、デザイナに対して多くの問題点を与えている。スイッチのような制御装置を組み込むことは例外ではない。
【０００３】
衣服に電気制御装置又は構成要素を統合するための一方法は、衣服に縫い付けられ、接着され、又は組み込まれた標準的な“既製の”電子構成要素を用いることである。残念ながら、このような方法は、これらの構成要素が従来の電子装置において使用されるように主に意図されているという事実から生じる多くの不利点を有する。しかしながら、通常、曲がり易い織物材料から製造される衣服及び装飾品の場合、従来の制御構成要素が成功裏に取り付けられる場合でさえ、達成される取り付けは、必ずしも、固定的なものではなく、ユーザによる制御装置の操作を困難にするものとなっている。このような方法の他の不利点は、それらの成分が取り付けられたアイテムの特性と調和してきちんと統合されたものであるというより、これらの構成要素を備えた衣服又は他のアイテムが上部に取り付けられた構成要素を有する衣類又は装飾品の感覚及び外観を有することである。
【０００４】
このような後者のポイントは、衣服又は装飾の物品を選択するときの主な考慮が外観であるため、重要である。衣服又は他の物品の魅力を損ねるように制御装置を設けることは、デザイナ及び消費者の観点から最も好ましくないことである。眼に見える衣服及び装飾品において使用されるユーザ制御器は、目立つデザインの特徴として、好ましい実施として又は偽装として組み込まれているとしても、見映えがよい必要がある。多くの場合、適用される又は組み込まれる物品の形状に対してある程度適合することができるように、構成要素がある程度の機械的曲がり易さを有するような、要請が存在している。物品が曲がり易い場合、構成要素はその物品と共に曲がることができることが、通常、望ましい。従来の電気構成要素は、このような要求に必ずしも適合していない。
【０００５】
衣服または装飾品製造業において通常使用されている機械及びプロセスは、構成要素に対して物理的設置を提供すること又は構成要素への電気的接続を施すことのどちらかに関してファブリックに構成要素を接続するようにデザインされていないため、そのような従来の構成要素を使用することは又、製造業者に対して問題をもたらす。
【０００６】
国際公開第０１／６３６３０号パンフレットにおいて、衣服において使用されるスライド電気スイッチについて記載されている。そのスイッチは、２つの間隔を置いた、細長く曲がり易い表面と、各々の表面における少なくとも１つの電気接点と、接点間に電気的接続をもたらすためにそれらの表面に沿ってスライドすることができるスライダとを有する。スライダが選択スイッチとして機能する場合、多くの接点が存在することが可能であり、スライダの動きが抵抗における変化を与える場合は又、２つの連続的な間隔を置いた接点を有することが可能である。これらのスイッチの構成は、スライダを位置付けすることができる曲がり易い表面のスイッチの全ての領域にアクセスすることができることを必要とし、それ故、そのスイッチが、例えば、ポケットの中のような、アクセス可能である位置に接続されていない場合、スイッチは、一般に、物品の細長く外側に突き出た特徴が仮定される。ある場合、そのような特徴は、空間的要求のために収容することが困難である又は好ましくないことがあり得る。
【発明の開示】
【発明が解決しようとする課題】
【０００７】
本発明の目的は、少なくとも一部において、上記の問題点の１つ又はそれ以上に対して対処するようにする、衣服、柔らかい装飾品等への使用に対して適切である、改善されたスライド制御装置を提供することである。
【課題を解決するための手段】
【０００８】
本発明の第１の特徴に従って、ガイド部を有するスライド制御装置と、前記ガイド部においてスライド可能であり、前記ガイド部を通して伸びるコードとを有し、前記ガイド部は関連する第１電気構成要素を有し、前記コードは第２電気構成要素を有し、前記コードは、前記第１電気構成要素に関して前記第２電気構成要素を移動させるために前記ガイド部に沿ってスライドすることが可能であり、これにより、電気制御挙動をもたらすことができる。
【０００９】
典型的には、コードは、ユーザがつかむことを可能にするガイド部を越えてその端部の各々を伸ばし、各々のコードを引っ張ることができ、それ故、ガイド部に関してスライドさせる方式でコードを移動させることができる。
【００１０】
任意に、前記第１電気構成要素は、第１スイッチ接点を形成するように構成された伝記同でエン素子であり、前記第２電気構成要素は第２スイッチ接点を形成するように構成された電気導電素子であり、電気制御挙動は前記第１スイッチ接点において前記コードをスライドさせることによりもたらされる。この場合、第１スイッチ接点及び第２スイッチ接点は、第２の逆方向において前記コードをスライドさせることにより、又は、そうではなく、第１の順方向においてケーブルをスライドさせることにより、互いに電気的接続から離されることが可能である。
【００１１】
第１スイッチ接点及び第２スイッチ接点は、互いに、物理的及び電気的接続をなすことが可能である。ガイド部は編まれた又は織られた構造であることが可能である。
【００１２】
材料の適切な選択により、全体的にやわらかい材料から成る制御装置を提供することが可能である。衣服においてそのような装置を使用する場合、制御装置を組み込むことによりもたらされ得る、着用者にとってのいずれの不快感を最小化する。
【００１３】
本発明についての以上の及び他の特徴は、ここで読者が参照し、援用によって発明の説明を一部代替する、同時提出の特許請求の範囲において提供される。
【００１４】
本発明について、単に例として添付図面を参照して、以下、詳述する。
【発明を実施するための最良の形態】
【００１５】
図１、２及び３を参照するに、本発明の制御装置の第１実施形態を、スイッチの形態で示している。スイッチ１０は、単一のファブリック１１が編まれたベッドから一部が構成されている。ファブリック１１は、一般に、電気絶縁材料から成り、又、装置ガイド部１２を備えるために編まれている。装置ガイド部１２を形成するために、ファブリック１１を構成する糸は、ガイド部１２の近傍においては編まれていない。その糸はガイド部の第１側１２ａからガイド部の第２側１２ｂに単に渡されているのではない。これらの渡された糸の一部は明確にするために示され、参照番号１３及び１４により交互に表されている。
【００１６】
編まれたファブリックは又、ガイド部１２の領域１６に伸びた導電性糸を含んで形成された導電性トラッキング１５の領域を有する。領域１６は、第１電気構成要素に関連する装置を備えている。ガイド部１２のリーチング領域１６において、トラッキングの導電性糸は、領域１６においてガイド部の一体部分を形成し続ける。即ち、領域１６において、導電性糸はガイド部の第１側１２ａからガイド部の第２側１２ｂに渡されている。
【００１７】
コード２０は、電気導電性の第１部２０ａと、電気絶縁性の第２セクションとを備えている。電気導電部２０ａは装置に第２電気構成要素を与えている。
【００１８】
第１実施形態のスイッチ構成を完成させるために、コード２０は、第１渡し糸１３の下、次の渡し糸１４の上、次の渡し糸１３の下、次の渡し糸１４の上等のようにコードを渡すことによりガイド部１２に備えられ、それ故、コードは、ガイド部が横切られるとき、渡し糸１３の下及び渡し糸１４の上にコードを交互に編み込むことにより、ガイド部１２において少なくとも一部が収容され、それに沿って案内される。このことについては、図３に詳細に示している。各々の連続的な渡し糸の上及び下に順次にコード２０を交互に渡すパターンについて説明したが、当業者により理解されるであろうように、他の構成又は手順について好適であるとして用いることが可能である。
【００１９】
それ故、ガイド部１２は、コード２０等を収容し、案内し、更に、ガイド部に沿った長さ方向にコードをスライドさせることを可能にする機能を果たすことができる。
【００２０】
使用の際に、コード２０はガイド部１２内に少なくとも一部が収容され、コードは、ガイド部の範囲を超えて伸び、それ故、各々の端部に接近可能であり、従って、ユーザがつかむことができる。こーどの端部をつかんで引っ張ることにより、第１方向においてガイド部１２に沿ってコードをスライドさせることが可能である。簡単のために、コードの他の端部をにぎって引っ張ることにより、第１方向と反対の第２方向においてガイド部１２に沿ってコードをスライドさせることが可能である。
【００２１】
ガイドの領域１６にコードの導電部２０ａの少なくとも一部を移動させるためにコードを引っ張ることにより、コードの導電部２０ａは、ガイド部１２の領域１６において導電性糸との電気接続を確立する。それ故、コードの電気導電部２０ａは導電性トラッキング１５との電気接続が確立される。同様に、コードは、導電領域１６からコードの導電部２０ａを取り外すために移動させることが可能であり、それ故、コードの導電部２０ａとトラッキング１５との間の電気接続を切り離すことが可能である。
【００２２】
使用するために電気回路におけるこのスイッチを接続するために、第１スイッチ端子は導電性トラッキング１５の形態で備えられ、第２スイッチ端子はケーブル導電部２０ａの形態で備えられる。
【００２３】
スイッチ１０を備えるために、単一の平編み（ジャージ）技術がファブリック１１を形成するために用いられる。ガイド部１２は、編む間に操作から編み針を取り除くことにより形成され、これらの針が操作から外される場合、編むプロセスは編み物を生成するのではなく、ガイド部１２を形成する編み糸１３、１４、編まれたファブリックの状態の編み糸１３、１４のラダーを生成する。導電性トラッキング１５の領域は又、編む間に形成され、必要な領域においてトラッキング１５を形成するために少なくともある割合の電気導電性糸を用いて、インターシャ編みを実行することにより提供される。
【００２４】
スイッチ１０の特定の一例において、編み地は９１本の針を用いて組立てられる。これらの針の２本は、必要な位置においてガイド部を形成するために操作から外される。第１に、平編みの７６個のコースは、ベッドの幅に、電気絶縁糸を用いて形成される（針を操作から外す領域を除いて）。第２に、次の８つのコースに対して、トラッキングを形成するために、多くの連続する針（しかし、ベッドの全体的幅に必ずしも全部の針は必要ない）に亘って、少なくとも電気導電性糸のある割合を用いてインターシャ編みが実行される。インターシャ編みはガイド部１６の近傍に伸び、ここで、渡される糸１３及び１４に、類似する手法で１２ａと１２ｂとの間のガイド部１２に渡される糸を生成するためにインターシャ編みの導電性糸が用いられる。同じ８つのコースに対して、導電性トラッキングが必要でないそれらの領域について、絶縁糸を用いる平編みは、その平編みが７６個の第１コースから継ぎ目がなく連続するように用いられる。第３に、平編みの他の７６個のコースは、ベッドの幅に亘って電気絶縁糸を用いて、形成される。これについては、図４に示している。
【００２５】
コード２０は、電気導電性糸の少なくともある割合を有する１０７個のコースから成る第１電気導電部２０ａを用いて、二重のジャージファブリック（２つの針の先端、２つの針のある後端）として編むことにより形成される。第２電気導電部２０ｂは電気絶縁糸の１０７個のコースから成る。このことについて、図４に示している。
【００２６】
任意に、管（図示せず）はガイド部２０に収容され、コードは、次いで、管部の中に入れられる。管が電気絶縁体である場合、管はコードに対して付加的絶縁性を与えるために機能することができる。管は、領域１６において不連続か又はそうでなければ電気的に導電性であることが必要である。管は、同じ糸を用いて前方のベッドを次いで後方のベッドを交互に編むことにより２つのベッドハンドの横編み機械において個別に編まれる。管はスイッチ１０に縫い込まれる。
【００２７】
本発明の第２実施形態において、スイッチ４０は両方向電気スイッチ操作において機能する。第１実施形態の場合におけるように、スイッチは、ファブリック１１が編まれた単一のベッド１１により形成される。ファブリック１１は、一般に、前記絶縁材料から成り、ガイド部１２を有する。この実施形態において、編まれたファブリックは３つの電気導電性トラッキング１５ａ、１５ｂ、１５ｃを有し、それら各々は、領域１６ａ、１６ｂ及び１６ｃそれぞれにおける装置ガイド部１２と交差し、電気接続をなすように伸びている。電気導電性トラッキング１５ａ、１５ｂ、１５ｃの各々の領域は、スイッチ端子として用いられることができる。
【００２８】
この第２実施形態において、コード４１は３つの部分、即ち、２つの電気絶縁端部４１ｂと１つの電気導電中央部４１ａとを有する。明確化のために、導電部４１ａは各図において斜線が付けられている。図５に示すように配置されたコードを用いて、コード４１の電気導電部４１ａは、領域１６ａと１６ｂとの間に伸び、それらの領域と電気接続をなし、それ故、導電性トラッキング１５ａと１５ｂとの間に電気的連続性を与えている。しかしながら、コードは、その端部により押さえられることが可能であり、‘Ｔ’で表されている方向においてユーザにより引っ張られることが可能であり、それ故、導電部が領域１６ｂと１６ｃ（１６ａではない）の間において伸び、それらの領域と電気接続を確立することができ、それ故、導電性トラッキング１５ｂと１５ｃとの間において電気的導電性を与える。
【００２９】
当業者により理解されるであろうように、他のスイッチの配置を備えることが可能である。変化量としては、領域１６の数と間隔、導電トラック１５の数と間隔、及びコード４１の導電部４１ａの長さがある。実際には、コードの電気導電部４１ａが、２つ又はそれ以上の電気的接続領域１６ａ、１６ｂ、１６ｃとの電気接続を同時に確立することができるように、装置を構成することが可能である。一例において、特定の方向にコードを移動させることにより、導電部４１ａが数の増加している電気接続部１６と同時に接続するようにする。
【００３０】
電気接続がカード及びガイドの導電性要素間に形成されることは重要ではない。図６を参照するに、本発明の制御装置は、ガイド部の上方領域の周りに配置された誘導コイル５１の形態で装置の第１電気構成要素を備える。カード４１が、誘導コイル５１により囲まれたガイド部１２の一部の中に又はその近傍に電気導電領域４１ａをもっていくために移動させるとき、誘導コイル５１の電気的特性は変化し、その特性を測定することにより、スイッチング操作を決定することができる。
【００３１】
図７を参照するに、第１電気構成要素に関連する装置は、ガイド１２を囲むというより、隣接して位置付けられる電気構成要素６１の形態で備えられることができる一方、コードの導電領域４１ａは電気構成要素６１に隣接する。そのような構成要素６１としては、当業者により理解されるであろうように、誘導コイル、リードスイッチ、近接検出器、ホール効果検出器、容量性検出器等の適切な検出器がある。それらの構成要素６１は、１つ又はそれ以上の電気接続を必要とし、それらの電気接続は、構造的に導電性トラッキング１５に類似する導電性トラッキング又は従来の電気配線を用いて備えられることが可能である。代替として、構成要素において無線通信を確立することができ、その場合、当業者により理解されるであろうように、１つ又はそれ以上の電気接続を形成する必要なく済ませることが可能である。
【００３２】
本発明に従った装置を製造する場合、当業者により理解されるであろうように、いずれの適切な糸を用いることが可能である。例えば、電気絶縁糸の場合、適切な材料は、ステンレススチールの糸、銀メッキされた糸、導電性高分子を有する糸又は編むことに対する仕様のために紡ぐことができる本質的に導電性の糸を有する。導電性糸及び絶縁性糸を、一種類の材料又は複数の材料の組み合わせから構成することが可能である。
【００３３】
特定の編み方について説明したが、それらに代えて、他の適切な編み方を用いることが可能である。更に、編まれた構成について説明したが、織物技術又は刺繍技術を用いて、本発明の装置を生成することが又、可能である。これらの技術の各々は又、導電領域及び非導電領域を有する。ジャガー織りに編んだ構成に対して、適切なプロセスがあり、ラダー領域に対して、縦糸はリードから抜きにすることができ、刺繍バージョンにおいて、ラダー網目は導電性ラダー領域を生成するために用いられ、そしてラダー領域を生成するためにレーザーカッティングのようなファブリック操作を用いることが可能である。導電性刺繍スレッドを用いて、配線をベース絶縁性ファブリックに刺繍することが可能である。当業者により理解されるであろうように、編んだ構造、織った構造又は刺繍された構造の組み合わせを用いる装置を実現することが可能である。
【００３４】
実際には、例えば、ラジオのチューニング又はボリュームレベルを操作するために適切である、オン／オフタイプのスイッチング機能又は可変制御機能を与える制御装置が設計されることができる。比抵抗が導電領域４１ａの長さ方向に沿って、即ち、線形的に式又は指数関数的に変化するように、コードの導電領域２０ａ又は４１ａを製造することが可能である。コードは、酸化を助長することなく洗うことが可能であるが、装置の第１電気構成要素の近傍にもっていったとき、効果を有することができるように、プラスティック等によりシーリングされることが可能である鉄材料又は非鉄材料を有することが可能である。
【００３５】
身につけられる電子衣服において制御装置を使用することは、例えば、衣服におけるラジオのチューニング、ボリューム及びライティングのような制御機能を有する。装飾品の場合、例えば、照明、視聴覚装置及び他の電気又は電子装置のような室内でアイテムを制御するための制御装置を用いることが可能である。
【００３６】
本発明の開示内容を読むことにより、当業者は他の修正について理解することができるであろう。そのような修正は、衣服、衣服用アクセサリ、身につけることができるコンピュータ構成及びそれらの応用のような、織物製品の使用及び設計製品において、今日、既にある他の特徴を有することが可能であり、そして、以上において既に説明した特徴に加えて又はそれらに代えて用いられることが可能である。
【図面の簡単な説明】
【００３７】
【図１】本発明に従って作製した制御装置の第１実施形態の一部の平面図である。
【図２】本発明に従って作製した制御装置の第１実施形態の一部の平面図である。
【図３】第１実施形態の一部を詳細に示す図である。
【図４】第１実施形態を形成するための編む命令を示す図である。
【図５】本発明に従って作製した制御装置の第２実施形態の一部の平面図である。
【図６】本発明に従って作製した制御装置の第３実施形態の一部の平面図である。
【図７】本発明に従って作製した制御装置の第３実施形態の一部の平面図である。
【図１】
2005531900.tif 000003
【図２】
2005531900.tif 000004
【図３】
2005531900.tif 000005
【図４】
2005531900.tif 000006
【図５】
2005531900.tif 000007
【図６】
2005531900.tif 000008
【図７】
2005531900.tif 000009
【国際調査報告】
2005531900.tif 000010
2005531900.tif 000011